(57)【要約】【課題】  観察者の見た目による色の相違に基づいてディスプレイ上の表示色を適切に調整する。【解決手段】  上記ディスプレイにおける代表的表示色の入力を受けて、上記画像データと上記表示色との間の基本的な対応関係を定義した、マトリクスとγ曲線との組み合わせを作成する基本関係作成部と、  上記表示色の色調整を少なくとも色相別に指定され、その指定された色調整を統合した色調整における調整前後の色の対応関係を表した対応テーブルを作成する調整テーブル作成部と、  上記マトリクスと上記γ曲線と上記対応テーブルとを組みあわせて上記プロファイルを作成するプロファイル作成部とを備える。【選択図】        図４
2006303913.tif 000002
【特許請求の範囲】
【請求項１】
画像データの入力を受けて画像を表示するディスプレイにおける画像データと表示色との対応関係を表したプロファイルを作成するプロファイル作成装置であって、
前記ディスプレイにおける代表的表示色の入力を受けて、前記画像データと前記表示色との間の基本的な対応関係を定義した、マトリクスとγ曲線との組み合わせを作成する基本関係作成部と、
前記表示色の色調整を少なくとも色相別に指定され、その指定された色調整を統合した色調整における調整前後の色の対応関係を表した対応テーブルを作成する調整テーブル作成部と、
前記マトリクスと前記γ曲線と前記対応テーブルとを組みあわせて前記プロファイルを作成するプロファイル作成部とを備えたことを特徴とするプロファイル作成装置。
【請求項２】
前記画像データがＲＧＢデータであり、
前記基本関係作成部が、ＲＧＢデータと、前記表示色を表したＸＹＺ値との対応関係を定義した、マトリクスとγ曲線との組み合わせを作成するものであることを特徴とする請求項１記載のプロファイル作成装置。
【請求項３】
前記調整テーブル作成部が、前記対応テーブルとして、前記色調整を前記画像データに反映させるための、調整前後の画像データの対応関係を表した対応テーブルを作成するものであることを特徴とする請求項１記載のプロファイル作成装置。
【請求項４】
前記プロファイルがＩＣＣプロファイルであり、
前記プロファイル作成部が、前記マトリクスと前記γ曲線と前記対応テーブルとの組み合わせをＩＣＣプロファイルのＢ２Ａタグに書き込むものであることを特徴とする請求項１記載のプロファイル作成装置。
【請求項５】
前記基本関係作成部が、前記ディスプレイに表示されたグレーパッチの表示色を前記代表的表示色として入力され、そのグレーパッチの表示色に基づいて前記γ曲線を作成するものであることを特徴とする請求項１記載のプロファイル作成装置。
【請求項６】
前記ディスプレイにおける黒色の表示色を入力されて、その黒色の表示色と理想的な黒色との差分に基づいたフレア補正を表した補正関数を作成する補正関数作成部を備え、
前記プロファイル作成部が、前記マトリクスと前記γ曲線と前記対応テーブルとを組みあわせると共に更に前記補正関数も組みあわせるものであることを特徴とする請求項１記載のプロファイル作成装置。
【請求項７】
コンピュータに組み込まれて該コンピュータに、画像データの入力を受けて画像を表示するディスプレイにおける画像データと表示色との対応関係を表したプロファイルを作成させるプロファイル作成プログラムであって、
前記コンピュータ上に、
前記ディスプレイにおける代表的表示色の入力を受けて、前記画像データと前記表示色との間の基本的な対応関係を定義した、マトリクスとγ曲線との組み合わせを作成する基本関係作成部と、
前記表示色の色調整を少なくとも色相別に指定され、その指定された色調整を統合した色調整における調整前後の色の対応関係を表した対応テーブルを作成する調整テーブル作成部と、
前記マトリクスと前記γ曲線と前記対応テーブルとを組みあわせて前記プロファイルを作成するプロファイル作成部とを構築することを特徴とするプロファイル作成プログラム。
【請求項８】
画像データの入力を受けて画像を表示するディスプレイと、
前記ディスプレイにおける代表的表示色の入力を受けて、前記画像データと前記表示色との間の基本的な対応関係を定義した、マトリクスとγ曲線との組み合わせを作成する基本関係作成部と、
前記表示色の色調整を少なくとも色相別に指定され、その指定された色調整を統合した色調整における調整前後の色の対応関係を表した対応テーブルを作成する調整テーブル作成部と、
前記マトリクスと前記γ曲線と前記対応テーブルとを組みあわせて、前記ディスプレイにおける画像データと表示色との対応関係を表したプロファイルを作成するプロファイル作成部と、
画像の表示色を表す表示色データを前記プロファイルによって前記画像データに変換し、変換後の画像データを前記ディスプレイに入力するデータ変換部とを備えたことを特徴とする画像表示装置。
【請求項９】
画像データの入力を受けて画像を表示するディスプレイと、
前記ディスプレイにおける代表的表示色の入力を受けて、前記画像データと前記表示色との間の基本的な対応関係を定義した、マトリクスとγ曲線との組み合わせを作成する基本関係作成部と、
前記表示色の色調整を少なくとも色相別に指定され、その指定された色調整を統合した色調整における調整前後の色の対応関係を表した対応テーブルを作成する調整テーブル作成部と、
前記マトリクスと前記γ曲線と前記対応テーブルとを組みあわせて、前記ディスプレイにおける画像データと表示色との対応関係を表したプロファイルを作成するプロファイル作成部と、
印刷物を表す印刷データを、印刷データと印刷物の色との対応関係を表したプロファイルと、前記プロファイル作成部で作成されたプロファイルとによって前記画像データに変換し、変換後の画像データを前記ディスプレイに入力するデータ変換部とを備えたことを特徴とする印刷校正システム。
【請求項１０】
コンピュータに組み込まれて該コンピュータを、印刷物の画像を再現する印刷システムとして動作させる印刷校正プログラムであって、
前記コンピュータ上に、
画像データの入力を受けて画像を表示するディスプレイにおける代表的表示色の入力を受けて、該画像データと該表示色との間の基本的な対応関係を定義した、マトリクスとγ曲線との組み合わせを作成する基本関係作成部と、
前記表示色の色調整を少なくとも色相別に指定され、その指定された色調整を統合した色調整における調整前後の色の対応関係を表した対応テーブルを作成する調整テーブル作成部と、
前記マトリクスと前記γ曲線と前記対応テーブルとを組みあわせて、前記ディスプレイにおける画像データと表示色との対応関係を表したプロファイルを作成するプロファイル作成部と、
印刷物を表す印刷データを、印刷データと印刷物の色との対応関係を表したプロファイルと、前記プロファイル作成部で作成されたプロファイルとによって前記画像データに変換し、変換後の画像データを前記ディスプレイに入力するデータ変換部とを構築することを特徴とする印刷校正プログラム。
【発明の詳細な説明】
【技術分野】
【０００１】
本発明は、プロファイルを作成するプロファイル作成装置、プロファイル作成プログラム、プロファイルを使って画像を表示する画像表示装置、印刷物の画像を再現する印刷校正システム、および印刷校正プログラムに関する。
【背景技術】
【０００２】
従来より、印刷機を用いて画像印刷を行なうにあたっては、印刷を行なう前に、特殊なプリンタ等を用いて、その印刷機での印刷によって得られる印刷画像に似せたプルーフ画像を作成し、所望の印刷物が得られるか否かを調べることが行なわれている。そのようなプルーフ画像を作成するためのシステムを印刷校正システムと称する。
【０００３】
印刷校正システムでプルーフ画像を作成するにあたっては、印刷を行なおうとしている原画像に対して、印刷を行なおうとしている印刷機の種類や、その印刷機の使用条件等に対応した様々な画像処理を施すことによりプルーフ画像を作成する。そして、例えば、ある印刷条件下で得られる印刷画像を再現したプルーフ画像の色等が、所望の印刷物の色等とは異なっているなどといった場合に、印刷条件を変更し、原画像に、変更された印刷条件に対応した処理条件の下で画像処理を施して新たなプルーフ画像を作成する。このようにプルーフ画像を修正する作業を校正と称する。
【０００４】
このように、プルーフ画像の作成と、印刷条件の変更（即ち校正）とを繰り返すことによって、最終的に、所望の印刷物を得るための印刷条件を求めることができる。
【０００５】
上述したように、従来の印刷校正システムは、プルーフ画像を作成するための特殊なプリンタを有するものであるが、近年、ＣＲＴディスプレイや液晶ディスプレイの性能が向上するのに伴って、ディスプレイ上でプルーフ画像を表示してそのプルーフ画像を使って校正を行うソフトプルーフと称される校正方法が提案されるようになってきている。
【０００６】
このようなソフトプルーフに用いられるディスプレイ装置では、印刷物の色が忠実に再現されるように、高精度な色再現が可能であることが求められる。従来のディスプレイ装置には、色相を限定した表示色の彩度調整が可能なものも知られており（例えば、特許文献１参照。）、このような調整によって印刷物の色の再現精度を向上させることも考えられる。
【特許文献１】特開２００１−１６９１２５号公報
【発明の開示】
【発明が解決しようとする課題】
【０００７】
しかし、単に色調整が可能というだけではソフトプルーフ用のディスプレイ装置としては不十分であり、そのような色調整が反映されてプロファイルが修正され、その修正されたプロファイルを印刷プロファイルと結合することで印刷物の色が安定的に再現可能であるされることが望ましい。
【０００８】
このようなプロファイルに対する修正の手法としては、プリンタのプロファイルの場合であれば、カラーパッチをプリンタと印刷機とのそれぞれで出力し、各カラーパッチの色を測色して色の差を求め、その色の差をプリンタのプロファイルに反映させて修正することで、印刷物の色とプルーフ画像の色とを測色的に一致させる手法が知られている。しかし、ディスプレイとハードプリントとでは、周辺の光環境によって表示色やプリント色が受ける影響が異なっているので、従来の手法をそのままディスプレイ装置に適用して測色的な一致を実現しても、プルーフ画像と印刷画像とを比較した時には、表示色などが比較時の光環境に影響されてしまって、色の印象が互いに相違するという事態を生じることになる。このため、観察者の見た目による色の相違からプロファイルを適切に調整することが求められている。
【０００９】
本発明は上記事情に鑑み、観察者の見た目による色の相違に基づいてプロファイルを適切に調整することができるプロファイル作成装置、コンピュータをそのようなプロファイル作成装置として動作させるプロファイル作成プログラム、そのようなプロファイルによって適切な色調整が可能な画像表示装置、印刷校正システム、およびコンピュータをそのような印刷校正システムとして動作させる印刷校正プログラムを提供することを目的とする。
【課題を解決するための手段】
【００１０】
上記目的を達成する本発明のプロファイル作成装置は、
画像データの入力を受けて画像を表示するディスプレイにおける画像データと表示色との対応関係を表したプロファイルを作成するプロファイル作成装置であって、
上記ディスプレイにおける代表的表示色の入力を受けて、上記画像データと上記表示色との間の基本的な対応関係を定義した、マトリクスとγ曲線との組み合わせを作成する基本関係作成部と、
上記表示色の色調整を少なくとも色相別に指定され、その指定された色調整を統合した色調整における調整前後の色の対応関係を表した対応テーブルを作成する調整テーブル作成部と、
上記マトリクスと上記γ曲線と上記対応テーブルとを組みあわせて上記プロファイルを作成するプロファイル作成部とを備えたことを特徴とする。
【００１１】
本発明のプロファイル作成装置によれば、マトリクスおよびγ曲線でデータと色との基本関係が表され、ＬＵＴ（Ｌｏｏｋ  Ｕｐ  Ｔａｂｌｅ）に代表される対応テーブルで色調整が表され、それらマトリクス、γ曲線、対応テーブルが組み合わされてプロファイルが作成される。従って、色調整の自由度が高くて観察者の見た目による適切な色調整が可能であるとともに、そのような適切な色調整が組み込まれた適切なプロファイルが作成される。
【００１２】
ここで、本発明のプロファイル作成装置において、
「上記画像データがＲＧＢデータであり、
上記基本関係作成部が、ＲＧＢデータと、上記表示色を表したＸＹＺ値との対応関係を定義した、マトリクスとγ曲線との組み合わせを作成するものである」
という形態は好適である。
【００１３】
ＲＧＢデータとＸＹＺ値とは、マトリクスとγ曲線との組み合わせによって対応関係が適切に近似できることが知られているので、この好適な形態のプロファイル作成装置によれば、適切なプロファイルが容易に作成される。
【００１４】
また、本発明のプロファイル作成装置において、「上記調整テーブル作成部が、上記対応テーブルとして、上記色調整を上記画像データに反映させるための、調整前後の画像データの対応関係を表した対応テーブルを作成するものである」という形態も好適である。
【００１５】
観察者が色調整を行う際には、通常、明度や彩度などといった色の要素よりも、例えばＲＧＢデータやＣＭＹデータに代表される画像データのデータ要素の方が修正結果を直感的に把握しやすいので、この好適な形態のプロファイル作成装置によれば、観察者が容易に色調整をプロファイルに反映させることができる。
【００１６】
また、本発明のプロファイル作成装置において、
「上記プロファイルがＩＣＣプロファイルであり、
上記プロファイル作成部が、上記マトリクスと上記γ曲線と上記対応テーブルとの組み合わせをＩＣＣプロファイルのＢ２Ａタグに書き込むものである」
という形態も好適である。
【００１７】
ＩＣＣ（Ｉｎｔｅｒｎａｔｉｏｎａｌ  Ｃｏｌｏｒ  Ｃｏｎｓｏｒｔｉｕｍ）が提唱しているＩＣＣプロファイルのＢ２Ａタグには、３×３マトリクスと１次元の入力側ＬＵＴと多次元のＬＵＴと１次元の出力側ＬＵＴとのそれぞれの定義を記載することが認められているので、この好適な形態のプロファイル作成装置によれば、上記マトリクスや上記γ曲線や上記対応テーブルをＢ２Ａタグの３×３マトリクスなどとして直接書き込むことで容易にプロファイルを作成することができる。
【００１８】
更に、本発明のプロファイル作成装置において、「上記基本関係作成部が、上記ディスプレイに表示されたグレーパッチの表示色を上記代表的表示色として入力され、そのグレーパッチの表示色に基づいて上記γ曲線を作成するものである」という形態も好適である。
【００１９】
この好適な形態のプロファイル作成装置によれば、人間の目が敏感に色の差異を感じるグレー領域におけるディスプレイの表示能力を的確に表したγ曲線が得られ、そのγ曲線が用いられることで適切なプロファイルが作成される。
【００２０】
更にまた、本発明のプロファイル作成装置において、
「上記ディスプレイにおける黒色の表示色を入力されて、その黒色の表示色と理想的な黒色との差分に基づいたフレア補正を表した補正関数を作成する補正関数作成部を備え、
上記プロファイル作成部が、上記マトリクスと上記γ曲線と上記対応テーブルとを組みあわせると共に更に上記補正関数も組みあわせるものである」
という形態も好適である。
【００２１】
この好適な形態のプロファイル作成装置によれば、フレア補正も適切に反映されたプロファイルが得られる。
【００２２】
上記目的を達成する本発明のプロファイル作成プログラムは、
コンピュータに組み込まれてそのコンピュータに、画像データの入力を受けて画像を表示するディスプレイにおける画像データと表示色との対応関係を表したプロファイルを作成させるプロファイル作成プログラムであって、
上記コンピュータ上に、
上記ディスプレイにおける代表的表示色の入力を受けて、上記画像データと上記表示色との間の基本的な対応関係を定義した、マトリクスとγ曲線との組み合わせを作成する基本関係作成部と、
上記表示色の色調整を少なくとも色相別に指定され、その指定された色調整を統合した色調整における調整前後の色の対応関係を表した対応テーブルを作成する調整テーブル作成部と、
上記マトリクスと上記γ曲線と上記対応テーブルとを組みあわせて上記プロファイルを作成するプロファイル作成部とを構築することを特徴とする。
【００２３】
本発明のプロファイル作成プログラムによれば、上述した本発明のプロファイル作成装置の構成要素がコンピュータによって容易に構築される。
【００２４】
上記目的を達成する本発明の画像表示装置は、
画像データの入力を受けて画像を表示するディスプレイと、
上記ディスプレイにおける代表的表示色の入力を受けて、上記画像データと上記表示色との間の基本的な対応関係を定義した、マトリクスとγ曲線との組み合わせを作成する基本関係作成部と、
上記表示色の色調整を少なくとも色相別に指定され、その指定された色調整を統合した色調整における調整前後の色の対応関係を表した対応テーブルを作成する調整テーブル作成部と、
上記マトリクスと上記γ曲線と上記対応テーブルとを組みあわせて、上記ディスプレイにおける画像データと表示色との対応関係を表したプロファイルを作成するプロファイル作成部と、
画像の表示色を表す表示色データを上記プロファイルによって上記画像データに変換し、変換後の画像データを上記ディスプレイに入力するデータ変換部とを備えたことを特徴とする。
【００２５】
本発明の画像表示装置によれば、観察者の見た目に基づいて適切に調整したプロファイルに基づいて、適切に調整された表示色による画像表示を行うことができる。
【００２６】
上記目的を達成する本発明の印刷校正システムは、
画像データの入力を受けて画像を表示するディスプレイと、
上記ディスプレイにおける代表的表示色の入力を受けて、上記画像データと上記表示色との間の基本的な対応関係を定義した、マトリクスとγ曲線との組み合わせを作成する基本関係作成部と、
上記表示色の色調整を少なくとも色相別に指定され、その指定された色調整を統合した色調整における調整前後の色の対応関係を表した対応テーブルを作成する調整テーブル作成部と、
上記マトリクスと上記γ曲線と上記対応テーブルとを組みあわせて、上記ディスプレイにおける画像データと表示色との対応関係を表したプロファイルを作成するプロファイル作成部と、
印刷物を表す印刷データの入力を受けて、その印刷データを、印刷データと印刷物の色との対応関係を表したプロファイルと、上記プロファイル作成部で作成されたプロファイルとによって上記画像データに変換し、変換後の画像データを上記ディスプレイに入力するデータ変換部とを備えたことを特徴とする。
【００２７】
本発明の印刷校正システムによれば、観察者の見た目に基づいて適切に調整したプロファイルに基づいて、適切に調整された表示色による印刷物の再現を行うことができ、高精度なソフトプルーフを実現することができる。
【００２８】
上記目的を達成する本発明の印刷校正プログラムは、
コンピュータに組み込まれてそのコンピュータを、印刷物の画像を再現する印刷システムとして動作させる印刷校正プログラムであって、
上記コンピュータ上に、
画像データの入力を受けて画像を表示するディスプレイにおける代表的表示色の入力を受けて、その画像データと表示色との間の基本的な対応関係を定義した、マトリクスとγ曲線との組み合わせを作成する基本関係作成部と、
上記表示色の色調整を少なくとも色相別に指定され、その指定された色調整を統合した色調整における調整前後の色の対応関係を表した対応テーブルを作成する調整テーブル作成部と、
上記マトリクスと上記γ曲線と上記対応テーブルとを組みあわせて、上記ディスプレイにおける画像データと表示色との対応関係を表したプロファイルを作成するプロファイル作成部と、
印刷物を表す印刷データを、印刷データと印刷物の色との対応関係を表したプロファイルと、上記プロファイル作成部で作成されたプロファイルとによって上記画像データに変換し、変換後の画像データを上記ディスプレイに入力するデータ変換部とを構築することを特徴とする。
【００２９】
本発明の印刷校正プログラムによれば、上述した本発明の印刷校正システムの構成要素がコンピュータによって容易に構築される。
【００３０】
なお、本発明のプロファイル作成プログラム、画像表示装置、印刷校正システム、および印刷校正プログラムについては、ここではその基本形態のみを示すのにとどめるが、これは単に重複を避けるためであり、本発明のプロファイル作成プログラム、画像表示装置、印刷校正システム、および印刷校正プログラムには、上記の基本形態のみではなく、前述したプロファイル作成装置の各形態に対応する各種の形態が含まれる。
【００３１】
また、本発明のプロファイル作成プログラムおよび印刷校正プログラムがコンピュータ上に構成する基本関係作成部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００３２】
以上説明したように、本発明のプロファイル作成装置およびプロファイル作成プログラムによれば、観察者の見た目による色の相違に基づいてプロファイルを適切に調整することができ、本発明の画像表示装置によれば、そのように調整されたプロファイルに基づいて適切な画像表示を行うことができ、本発明の印刷校正システムおよび印刷校正プログラムによれば、そのような適切な画像表示による高精度なソフトプルーフが実現される。
【発明を実施するための最良の形態】
【００３３】
以下図面を参照して本発明の実施の形態を説明する。
【００３４】
図１は、本発明の一実施形態を示す図である。
【００３５】
この図１には、標準光源１０の下で印刷物２０上の画像を観察したときの色を、印刷物２０の画像を表した画像データから再現してＣＲＴディスプレイ上に表示する印刷校正システムが示されており、本実施形態では、この印刷校正システムはコンピュータ１００で構成されている。またこのコンピュータ１００は画像表示装置として機能するものであり、さらにコンピュータ１００の本体部１１０にはプロファイル作成機能が組み込まれている。
【００３６】
印刷校正システムを構成するコンピュータ１００は、ＣＰＵ、ＲＡＭメモリ、ハードディスク等を内蔵した本体部１１０、本体部１１０からのＲＧＢデータの入力により表示画面１２１に画像表示を行うＣＲＴディスプレイ１２０、このコンピュータ１００内にユーザの指示や文字情報を入力するためのキーボード１３０、表示画面１２１上の任意の位置を指定することによりその位置に応じた指示を入力するマウス１４０を備えている。また、ここに示すコンピュータ１００には、色を測定してＸＹＺ値やｘｙ値を測定値として出力する測色機１５０も備えられている。
【００３７】
本体部１１０は、さらに、外観上、フレキシブルディスク（ＦＤ）が装填されるＦＤ装填口１１１およびＣＤ−ＲＯＭやＣＤ−Ｒなど（以下ＣＤと総称する）が装填されるＣＤ装填口１１２を有しており、その内部には、装填されたフレキシブルディスクやＣＤをドライブする、ＦＤドライブ、ＣＤドライブも搭載されている。
【００３８】
図２は、図１に示す外観を有するコンピュータのハードウェア構成図である。
【００３９】
ここには、中央演算処理装置（ＣＰＵ）１１３、主メモリ１１４、ＨＤＤ（ハードディスク装置）１１５、ＦＤドライブ１１６、ＣＤドライブ１１７が備えられており、それらはバス１６０で相互に接続されている。また、ここには、図２にも示したＣＲＴディスプレイ１２０、キーボード１３０、マウス１４０、測色器１５０も示されており、これらもバス１６０に接続されている。
【００４０】
ＦＤドライブ１１６、ＣＤドライブ１１７は、図１を参照して説明したように、フレキシブルディスク２００、ＣＤ２１０が装填され、装填されたフレキシブルディスク２００、ＣＤ２１０をアクセスするものである。
【００４１】
ここで、ＣＤ２１０に、コンピュータ１００を印刷校正システムとして動作させる印刷校正プログラムが記憶されている場合には、そのＣＤ２１０が図１に示すＣＤ装填口１１２から本体部１１０内に装填され、ＣＤドライブ１１７により、そのＣＤ２１０から印刷校正プログラムが読み込まれ、バス１６０を経由し、このコンピュータ１００のＨＤＤ１１５内にインストールされる。実際の実行にあたっては、そのＨＤＤ１１５内の印刷校正プログラムは主メモリ１１４上にロードされ、ＣＰＵ１１３により実行される。
【００４２】
図１に戻って説明を続ける。
【００４３】
ＣＲＴディスプレイ１２０には、ユーザが表示色をハード的に調整するための操作子が備えられており、この操作子をユーザが操作することによって直接に表示色の輝度やγ値を調整することができる。ユーザは、コンピュータ１００が印刷校正システムとして動作するのに先立って、ＣＲＴディスプレイ１２０の操作子を操作して、以下説明するようなキャリブレーションを行う。
【００４４】
先ず、入射してくる光をほぼ無吸収で散乱させる基準白色板３０を標準光源１０の下に置き、その基準白色板３０からの散乱光の色を測色機１５０で測定してｘｙ値を得る。次に、そのｘｙ値が表す白色に、ＣＲＴディスプレイ１２０の白色が一致するように、上述した操作子を操作して輝度やγ値を調整する。これによりキャリブレーションがハード的に実現される。なお、このようなキャリブレーションは、コンピュータ１００の本体部１１０にキャリブレーション機能が組み込まれている場合には、そのキャリブレーション機能によってソフト的に実行されても良い。
【００４５】
このようなキャリブレーションが済んでいるという前提で、以下、印刷校正システムの構成や動作について説明する。
【００４６】
図３は、本発明の印刷校正プログラムの一実施形態を示す図である。
【００４７】
この図３に示す印刷校正プログラム３００は、コンピュータを印刷校正システムとして動作させるプログラムである。ここで、印刷校正プログラム３００を記憶する印刷校正プログラム記憶媒体２２０は、プログラムを記憶可能な媒体であれば、その種類を問うものではなく、ＦＤでも、ＣＤでも、ＤＶＤでも、ハードディスク装置の磁気ディスクでも、半導体メモリでもよい。
【００４８】
印刷校正プログラム３００は、測定値取得部３１０と、入力値取得部３２０と、プロファイル作成部３３０と、色変換部３４０とで構成されており、プロファイル作成部３３０は更に、マトリクス算出部３３１と、１次元ＬＵＴ作成部３３２と、３次元ＬＵＴ作成部３３３と、γ曲線算出部３３４とで構成されている。これらの構成要素のうち、測定値取得部３１０と、入力値取得部３２０と、プロファイル作成部３３０は、本発明にいうプロファイル作成プログラムの一実施形態に相当している。
【００４９】
これらの各構成要素の詳細は後で説明する。
【００５０】
図４は、印刷校正システムの機能ブロック図である。
【００５１】
この印刷校正システム４００は、図３に示す印刷校正プログラム３００が、図１に示すコンピュータ１００に組み込まれることによって実現されるシステムであり、この印刷校正システム４００を構成する測定値取得部４１０、入力値取得部４２０、プロファイル作成部４３０、および色変換部４４０は、印刷校正プログラム３００を構成する測定値取得部３１０、入力値取得部３２０、プロファイル作成部３３０、および色変換部３４０のそれぞれによってコンピュータ上に実質的に構築されたものである。また、この印刷校正システム４００は、図１および図２にも示したＣＲＴディスプレイ１２０も構成要素として備えている。
【００５２】
印刷校正システム４００を構成する構成要素のうちプロファイル作成部４３０は、更に、マトリクス算出部４３１と、１次元ＬＵＴ作成部４３２と、３次元ＬＵＴ作成部４３３と、γ曲線算出部４３４とで構成されており、これらの要素は、図３に示すプロファイル作成部３３０を構成するマトリクス算出部３３１、１次元ＬＵＴ作成部３３２、３次元ＬＵＴ作成部３３３、およびγ曲線算出部３３４のそれぞれによってコンピュータ上に実質的に構築されたものである。
【００５３】
以下では、まず、この印刷校正システム４００を構成する各要素の作用について概括的に説明し、その後、各要素の作用の詳細について説明する。
【００５４】
印刷校正システム４００の測定値取得部４１０は、図１および図２に示す測色機１５０から出力される測定値（ここではＸＹＺ値）を取得するものである。
【００５５】
入力値取得部４２０は、後述するモニタプロファイル編集画面をＣＲＴディスプレイ１２０上に表示し、そのモニタプロファイル編集画面を介してユーザが入力する入力値を取得するものである。
【００５６】
プロファイル作成部４３０は、測定値取得部４１０によって取得された測定値と、入力値取得部４２０によって取得された入力値とに基づいてモニタプロファイル４４２をＩＣＣプロファイルの構造で作成するものである。
【００５７】
色変換部４４０は、画像を再現するべき印刷物を表したＣＭＹＫデータと印刷色との対応を表した印刷プロファイル４４１と、プロファイル作成部４３０によって作成されたモニタプロファイル４４２とに基づいてプルーフ画像を作成してＣＲＴディスプレイ１２０上に表示させるものである。
【００５８】
ここでＩＣＣプロファイルの構造について説明する。
【００５９】
図５は、ＩＣＣプロファイルの構造を表す図である。
【００６０】
ＩＣＣプロファイルの規定上はいくつかのプロファイル構造が任意に採用可能となっているが、本実施形態では、この図５に示す構造のＩＣＣプロファイル５００が採用されている。このＩＣＣプロファイル５００は、ＸＹＺ値をＲＧＢデータに変換する変換行列を表した３×３マトリクス５１０と、ＲＧＢデータを構成するＲ値、Ｇ値、Ｂ値のそれぞれを互いに独立にＲ’値、Ｇ’値、Ｂ’値に変換する変換関係を表した１次元の入力側ＬＵＴ５２０と、Ｒ’値、Ｇ’値、Ｂ’値からなるＲ’Ｇ’Ｂ’データを、Ｒ”値、Ｇ”値、Ｂ”値からなるＲ”Ｇ”Ｂ”データに変換する変換関係を、多数のＲ’Ｇ’Ｂ’データそれぞれに対応した多数のＲ”Ｇ”Ｂ”データの対応表で表した３次元ＬＵＴ５３０と、Ｒ”Ｇ”Ｂ”データを構成するＲ”値、Ｇ”値、Ｂ”値のそれぞれを互いに独立にＲ"'値、Ｇ"'値、Ｂ"'値に変換する変換関係を表した１次元の出力側ＬＵＴ５４０とで構成されている。
【００６１】
ＩＣＣプロファイル５００を構成する要素のうち３×３マトリクス５１０は、図４のマトリクス算出部４３１で算出される。同様に、１次元の入力側ＬＵＴ５２０は１次元ＬＵＴ作成部４３２で作成され、３次元ＬＵＴ５３０は３次元ＬＵＴ作成部４３３で作成され、１次元の出力側ＬＵＴ５４０はγ曲線算出部４３４で作成される。
【００６２】
また、この図５に示す構造を有するＩＣＣプロファイル５００のデータは、ＩＣＣプロファイルの規約上、Ｂ２Ａタグ中に格納されることとなっており、そのＢ２Ａタグ中には、３×３マトリクス５１０、１次元の入力側ＬＵＴ５２０、３次元ＬＵＴ５３０、および１次元の出力側ＬＵＴ５４０のそれぞれを表した各データが格納される。
【００６３】
図４に示す印刷校正システム４００の各構成要素における作用の詳細を以下説明する。
【００６４】
まず、測定値取得部４１０はＣＲＴディスプレイ１２０に（Ｒ，Ｇ，Ｂ）＝（０，０，０）、（２５５，０，０）、（０，２５５，０）、（０，０，２５５）、（２５５，２５５，２５５）の各ＲＧＢデータを入力することで、黒色、Ｒ色、Ｇ色、Ｂ色、白色それぞれのパッチを表示させ、それらのパッチを図１に示す測色機１５０が測定して出力する各ＸＹＺ値を取得する。更に、測定値取得部４１０はＣＲＴディスプレイ１２０に（Ｒ，Ｇ，Ｂ）＝（１０２，１０２，１０２）、（１５３，１５３，１５３）、（２０４，２０４，２０４）の各ＲＧＢデータを入力することで、３つのグレーパッチを表示させ、それらのグレーパッチを測色機１５０が測定して出力する各ＸＹＺ値も取得する。
【００６５】
プロファイル作成部４３０のマトリクス算出部４３１は、測定値取得部４１０によって取得されたＸＹＺ値のうちＲ色、Ｇ色、Ｂ色、および白色のＸＹＺ値を用いて、ＸＹＺ値をＲＧＢ値に変換する３×３の変換行列を算出する。この変換行列の算出方法については従来から知られているものであり、本発明の主題ではないので、これ以上の説明は省略する。
【００６６】
また、プロファイル作成部４３０のγ曲線算出部４３４は、３つのグレーパッチのＸＹＺ値および白色のＸＹＺ値を用いてγ曲線を算出する。
【００６７】
図６は、γ曲線を表す概念図である。
【００６８】
この図の横軸はグレーパッチのＲＧＢデータ（Ｒ＝Ｇ＝Ｂ）を表しており、縦軸はＸ値を表しており、この図の曲線がγ曲線を表している。ただし、γ曲線は、Ｒ色、Ｇ色、Ｂ色について個別に存在するものであり、この図６ではＲ色に対するγ曲線が表されている。
【００６９】
γ曲線は、ＲＧＢデータをａ、ＸＹＺ値をｂ、ガンマ値をγとするとｂ＝ａγで表される曲線である。また、Ｒ＝Ｇ＝Ｂ＝０の黒点ではＸ値が「０」となり、Ｒ＝Ｇ＝Ｂ＝２５５の白点では、白色の測定Ｘ値Ｘｗとなり、黒点と白点はγ曲線の両端に相当する。従って、３つのグレーパッチにおける測定Ｘ値Ｘ１，Ｘ２，Ｘ３それぞれからガンマ値を算出することができるが、理論的にはそれらは共通のガンマ値となるはずであるので、本実施形態では、３つの測定Ｘ値Ｘ１，Ｘ２，Ｘ３から３つのガンマ値が算出され、平均値が算出されることで、γ曲線を定義するガンマ値が得られる。
【００７０】
Ｒ色に対するγ曲線を定義するガンマ値は、上述したように測定Ｘ値から算出され、Ｇ色およびＢ色に対するγ曲線を定義するガンマ値は、同様に、測定Ｙ値および測定Ｚ値から算出される。
【００７１】
図４に示すプロファイル作成部４３０のγ曲線算出部４３４では、このようにガンマ値を算出すると、そのガンマ値によって定義されるγ曲線の逆関数に相当する１次元ＬＵＴを作成する。
【００７２】
図４に示すプロファイル作成部４３０のマトリクス算出部４３１およびγ曲線算出部４３４では、変換行列とγ曲線が上述したように算出され、これらマトリクス算出部４３１およびγ曲線算出部４３４と測定値取得部４１０とによって、本発明にいう基本関係作成部の一例が構成されている。
【００７３】
図４に示す印刷校正システム４００の入力値取得部４２０は、以下説明するモニタプロファイル編集画面をＣＲＴディスプレイ１２０上に表示する。
【００７４】
図７は、モニタプロファイル編集画面を表す図である。
【００７５】
このモニタプロファイル編集画面６００は、階調カーブ作成部６１０と色調整部６２０を備えており、ユーザはこのモニタプロファイル編集画面６００を介して階調カーブの作成と色調整を行うことができる。
【００７６】
階調カーブ作成部６１０には階調カーブ表示欄６１１と階調値入力欄６１２と色選択ラジオボタン６１３が備えられており、ユーザは、Ｒ値、Ｇ値、Ｂ値それぞれの階調を調整する階調カーブを作成することができる。階調カーブ表示欄６１１には、色選択ラジオボタン６１３がクリックされることで選択される色の階調カーブが表示される。また、階調カーブ表示欄６１１に表示された階調カーブ上でクリックされることによって、階調値の入力ポイントが選択される。さらに、階調値入力欄６１２に階調値が入力されることで入力ポイントにおける階調値が決定されて階調カーブが作成される。
【００７７】
色調整部６２０には、Ｒ（レッド），Ｇ（グリーン），Ｂ（ブルー），Ｃ（シアン），Ｍ（マゼンタ），Ｙ（イエロー）それぞれの色相に対応付けられて、Ｒ色相調整欄６２１、Ｇ色相調整欄６２２、Ｂ色相調整欄６２３、Ｃ色相調整欄６２４、Ｍ色相調整欄６２５、Ｙ色相調整欄６２６が設けられており、ユーザは、図１および図４に示すＣＲＴディスプレイ１２０上に表示される画像を観察し、再現性の悪い色相について、その色相に対応する調整欄にＲ値、Ｇ値、Ｂ値それぞれの調整値を入力することで表示色の色相別に色調整を行う。
【００７８】
この図７に示すモニタプロファイル編集画面６００には、さらに、保存先指定部６３０が備えられており、この保存先指定部６３０には、作成された階調カーブおよび色調整を反映させるべきモニタプロファイルのファイル名を入力するファイル名入力欄６３１と、そのモニタプロファイルを保存するフォルダを選択するためのフォルダ選択ボタン６３２と、そのモニタプロファイルをデフォルトとして登録することを選択するためのチェックボタン６３３が設けられている。
【００７９】
モニタプロファイル編集画面６００には、さらにまた、階調カーブおよび色調整をモニタプロファイルに反映させるためのＯＫボタン６４０と、このモニタプロファイル編集画面６００を終了させる終了ボタン６５０と、階調カーブの作成および色調整を取り消すキャンセルボタン６６０とを備えている。
【００８０】
以上説明したモニタプロファイル編集画面６００によってユーザが階調カーブの作成および色調整を行いＯＫボタン６４０をクリックすると、図４に示す入力値取得部４２０は、作成された階調カーブの階調値と、色調整の調整値を取得する。
【００８１】
図４に示すプロファイル作成部４３０の１次元ＬＵＴ作成部４３２は、作成された階調カーブを表す１次元ＬＵＴを作成するが、その際に、黒色の測定値に基づいて、以下説明するフレア補正の補正関数を算出し、その補正関数も１次元ＬＵＴに反映させる。
【００８２】
図８は、フレア補正の補正関数を表す図である。
【００８３】
図の横軸は入力値、縦軸は出力値を表しており、４５度の傾きを有する直線Ｌ０は補正なしの状態を表している。
【００８４】
フレア補正は、ＣＲＴディスプレイ上の黒色の黒さが不十分であることに起因して表示色の輝度が高めになっているのを低減する補正であり、フレア補正の補正関数を表す線Ｌ１は、ＣＲＴディスプレイの黒色について測定されたＸＹＺ値から求められる輝度の分だけ、補正なしの直線Ｌ０から下がった直線となっている。ただし、黒色の近くで出力値が、点線で示すようなマイナス値となるような部分では、出力値は「０」となっている。
【００８５】
図４に示すプロファイル作成部４３０の１次元ＬＵＴ作成部４３２は、このような補正関数を算出すると、その補正関数をユーザによって作成された階調カーブと掛け合わせて合成関数を算出し、その合成関数に相当する１次元ＬＵＴを作成する。この１次元ＬＵＴ作成部４３２は、本発明にいう補正関数作成部の一例に相当する。
【００８６】
プロファイル作成部４３０の３次元ＬＵＴ作成部４３３は、入力値取得部４２０によって取得された色調整の調整値に基づいて、以下説明するように、色調整前の色々なＲＧＢデータそれぞれに対応する色調整後のＲＧＢデータを求め、それら色調整前後のＲＧＢデータの対応関係を対応表で表した３次元ＬＵＴを作成する。
【００８７】
３次元ＬＵＴ作成部４３３は、まず、色調整前のＲＧＢデータを、Ｌ（明度）、Ｓ（彩度）、Ｈ（色相）のデータに変換する。この変換に当たって、ＲＧＢデータを構成するＲ値、Ｇ値、Ｂ値それぞれは０〜１に正規化されているものとする。また、１つのＲＧＢデータを構成しているＲ値、Ｇ値、Ｂ値のうちの最大値をＱｍａｘ、中間値をＱｍｉｄ、最小値をＱｍｉｎとする。
【００８８】
ＬＳＨデータのＬ値は、Ｌ＝Ｑｍａｘで算出される０〜１の値であり、Ｓ値はＳ＝１−（Ｑｍｉｎ／Ｑｍａｘ）で算出される０〜１の値である。また、Ｈ値は、ｗ＝（Ｑｍｉｄ−Ｑｍｉｎ）／（Ｑｍａｘ−Ｑｍｉｎ）で定義されたｗ値から以下の各式で算出される０〜６の値である。
【００８９】
Ｒ−Ｙ色相、即ちＲ≧Ｇ≧Ｂのとき、Ｈ＝０．０＋ｗ
Ｙ−Ｇ色相、即ちＧ≧Ｒ≧Ｂのとき、Ｈ＝２．０−ｗ
Ｇ−Ｃ色相、即ちＧ≧Ｂ≧Ｒのとき、Ｈ＝２．０＋ｗ
Ｃ−Ｂ色相、即ちＢ≧Ｇ≧Ｒのとき、Ｈ＝４．０−ｗ
Ｂ−Ｍ色相、即ちＢ≧Ｒ≧Ｇのとき、Ｈ＝４．０＋ｗ
Ｍ−Ｒ色相、即ちＲ＞Ｂ＞Ｇのとき、Ｈ＝６．０−ｗ
図９は、ＬＳＨデータのＨ値が示す色相を表した図である。
【００９０】
この図に示すように、色相は、レッド（Ｈ＝０）を基点として、イエロー（Ｈ＝１）、グリーン（Ｈ＝２）、シアン（Ｈ＝３）、ブルー（Ｈ＝４）、マゼンタ（Ｈ＝５）、と巡回してレッド（Ｈ＝６（＝０））に戻る。
【００９１】
ここで、ＬＳＨデータのＬ値、Ｓ値、Ｈ値のそれぞれに対して、色調整の強度関数が用意されており、３次元ＬＵＴ作成部４３３は、この強度関数から、以下説明する単位コレクション量を算出し、その単位コレクション量とユーザが色相ごとに決めた調整量との積によって、実際にＲＧＢデータを修正する修正量を求める。また、強度関数としては、Ｌ値に依存した１つの明度強度関数ＦＬ（Ｌ）と、Ｓ値に依存した１つの彩度強度関数ＦＳ（Ｓ）と、Ｈ値に依存した、Ｒ，Ｇ，Ｂ，Ｃ，Ｍ，Ｙの６色相それぞれに対応した６つの色相強度関数ＦＨＲ（Ｈ），ＦＨＧ（Ｈ），ＦＨＢ（Ｈ），ＦＨＣ（Ｈ），ＦＨＭ（Ｈ），ＦＨＹ（Ｈ）が用意されている。
【００９２】
図１０は、６つの色相強度関数ＦＨＲ（Ｈ），ＦＨＧ（Ｈ），ＦＨＢ（Ｈ），ＦＨＣ（Ｈ），ＦＨＭ（Ｈ），ＦＨＹ（Ｈ）を表す図である。
【００９３】
この図の横軸はＨ値を表し、図の縦軸は強度を表している。この図に示す６つの色相強度関数ＦＨＲ（Ｈ），ＦＨＧ（Ｈ），ＦＨＢ（Ｈ），ＦＨＣ（Ｈ），ＦＨＭ（Ｈ），ＦＨＹ（Ｈ）は、いずれも、Ｈ値で「２」の幅を有し、その幅内だけに値を有する三角形状の関数となっている。また、Ｒ色相に対応した色相強度関数ＦＨＲ（Ｈ）は、Ｒ色に相当するＨ値「０」（＝「６」）にピークを有し、同様にＧ，Ｂ，Ｃ，Ｍ，Ｙの各色相に対応した色相強度関数ＦＨＧ（Ｈ），ＦＨＢ（Ｈ），ＦＨＣ（Ｈ），ＦＨＭ（Ｈ），ＦＨＹ（Ｈ）は、それぞれ、Ｈ値「１」、「２」、「３」、「４」、「５」にピークを有する。これらの色相強度関数は、ユーザが色相ごとに決めた色調整の影響範囲を定義したものとなっている。
【００９４】
図１１は、明度強度関数ＦＬ（Ｌ）を表す図である。
【００９５】
この図の横軸はＬ値を表し、図の縦軸は強度を表している。この図に示すように明度強度関数ＦＬ（Ｌ）は、中間的な明度（即ちＬ値「０．５」付近）でピークを示し、白点や黒点に相当する明度（即ちＬ値「０」、「１」）では強度「０」となる関数である。このような明度強度関数ＦＬ（Ｌ）によって色調整は、中間的な明度の色に強く反映されることとなる。
【００９６】
図１２は、彩度強度関数ＦＳ（Ｓ）を表す図である。
【００９７】
この図の横軸はＳ値を表し、図の縦軸は強度を表している。この図に示すように彩度強度関数ＦＳ（Ｓ）は、最大彩度に相当するＳ値「１」で強度「１」となり、無彩色に相当する彩度（即ちＳ値「０」）で強度「０」となる関数である。また、この彩度強度関数ＦＳ（Ｓ）は、中間的な彩度（即ちＳ値「０．５」付近）で最大勾配を示す。このような彩度強度関数ＦＳ（Ｓ）によって色調整は、鮮やかな色に特に強く反映されることとなる。
【００９８】
図４に示す３次元ＬＵＴ作成部４３３は、図１０〜図１２に示す強度関数から、Ｒ，Ｇ，Ｂ，Ｃ，Ｍ，Ｙの６色相それぞれに対応した６つの単位コレクション量ＶＲ，ＶＧ，ＶＢ，ＶＣ，ＶＭ，ＶＹを
ＶＲ＝ＦＬ（Ｌ）×ＦＳ（Ｓ）×ＦＨＲ（Ｈ）
ＶＧ＝ＦＬ（Ｌ）×ＦＳ（Ｓ）×ＦＨＧ（Ｈ）
ＶＢ＝ＦＬ（Ｌ）×ＦＳ（Ｓ）×ＦＨＢ（Ｈ）
ＶＣ＝ＦＬ（Ｌ）×ＦＳ（Ｓ）×ＦＨＣ（Ｈ）
ＶＭ＝ＦＬ（Ｌ）×ＦＳ（Ｓ）×ＦＨＭ（Ｈ）
ＶＹ＝ＦＬ（Ｌ）×ＦＳ（Ｓ）×ＦＨＹ（Ｈ）
という各式で算出する。
【００９９】
また、図７のモニタプロファイル編集画面６００の色調整部６２０で色相別に入力されたＲ，Ｇ，Ｂそれぞれの調整値をＣｘｈ（ｘ＝Ｒ，Ｇ，Ｂ、ｈ＝Ｒ，Ｇ，Ｂ，Ｃ，Ｍ，Ｙ）と表現すると、図４に示す３次元ＬＵＴ作成部４３３は、それらの調整値で指定された色調整を統合した色調整によるＲＧＢデータの修正値ΔＲ，ΔＧ，ΔＢを、
ΔＲ＝ＣRR×ＶＲ＋ＣRG×ＶＧ＋ＣRB×ＶＢ＋ＣRC×ＶＣ＋ＣRM×ＶＭ＋ＣRY×ＶＹ
ΔＧ＝ＣGR×ＶＲ＋ＣGG×ＶＧ＋ＣGB×ＶＢ＋ＣGC×ＶＣ＋ＣGM×ＶＭ＋ＣGY×ＶＹ
ΔＢ＝ＣBR×ＶＲ＋ＣBG×ＶＧ＋ＣBB×ＶＢ＋ＣBC×ＶＣ＋ＣBM×ＶＭ＋ＣBY×ＶＹ
という式で算出する。この修正値ΔＲ，ΔＧ，ΔＢは、色調整前のＲＧＢデータに依存した値が算出され、３次元ＬＵＴ作成部４３３は、この修正値ΔＲ，ΔＧ，ΔＢを色調整前のＲＧＢデータに加算することで色調整後のＲＧＢデータを得、色調整前後のＲＧＢデータの対応関係を対応表で表した３次元ＬＵＴを作成する。
【０１００】
以上説明したように、図４に示すプロファイル作成部４３０のマトリクス算出部４３１、１次元ＬＵＴ作成部４３２、３次元ＬＵＴ作成部４３３、γ曲線算出部４３４によって、図５に示すＩＣＣプロファイルにおける３×３マトリクス５１０、１次元の入力側ＬＵＴ５２０、３次元ＬＵＴ５３０、１次元の出力側ＬＵＴ５４０が作成され、その結果、ユーザによる調整が反映されたモニタプロファイル４４２が完成する。その完成したモニタプロファイル４４２は色変換部４４０に格納され、モニタプロファイル４４２と印刷プロファイル４４１とに基づいた色変換が色変換部４４０で実行される。これにより、ＣＲＴディスプレイ上の表示色が、ユーザによる調整を反映した表示色となり、印刷物の画像が高精度に再現されたプルーフ画像が得られることとなる。
【０１０１】
なお、上記説明では、本発明にいう画像データの一例としてＲＧＢデータが示されているが、本発明にいう画像データは、ＣＭＹデータなどであってもよい。
【０１０２】
また、上記説明では、本発明にいう補正関数作成部の一例を備えた印刷校正システム、画像表示装置、プロファイル作成装置が示されているが、本発明の印刷校正システム、画像表示装置、プロファイル作成装置としては、補正関数作成部は必須ではない。
【０１０３】
また、上記説明では、本発明にいう表示色がＸＹＺ値で表現された例が示されているが、本発明にいう表示色は、Ｌａｂ値で表現されてもよい。
【０１０４】
また、上記説明では、本発明にいう調整テーブル作成部の一例として、色調整を色相別に指定されるものが示されているが、本発明にいう調整テーブル作成部は、色相別の指定に加えて、彩度別の指定や明度別の指定も受けるものであってもよい。
【図面の簡単な説明】
【０１０５】
【図１】本発明の一実施形態を示す図である。
【図２】図１に示す外観を有するコンピュータのハードウェア構成図である。
【図３】本発明の印刷校正プログラムの一実施形態を示す図である。
【図４】印刷校正システムの機能ブロック図である。
【図５】ＩＣＣプロファイルの構造を表す図である。
【図６】γ曲線を表す概念図である。
【図７】モニタプロファイル編集画面を表す図である。
【図８】フレア補正の補正関数を表す図である。
【図９】ＬＳＨデータのＨ値が示す色相を表した図である。
【図１０】６つの色相強度関数ＦＨＲ（Ｈ），ＦＨＧ（Ｈ），ＦＨＢ（Ｈ），ＦＨＣ（Ｈ），ＦＨＭ（Ｈ），ＦＨＹ（Ｈ）を表す図である。
【図１１】明度強度関数ＦＬ（Ｌ）を表す図である。
【図１２】彩度強度関数ＦＳ（Ｓ）を表す図である。
【符号の説明】
【０１０６】
１０    標準光源
２０    印刷物
３０    基準白色板
１００    コンピュータ
１１０    本体部
１１１    ＦＤ装填口
１１２    ＣＤ装填口
１１３    ＣＰＵ（中央演算処理装置）
１１４    ＲＡＭ
１１５    ＨＤＤ（ハードディスク装置）
１１６    ＦＤドライブ
１１７    ＣＤ−ＲＯＭドライブ
１２０    ＣＲＴディスプレイ
１２１    表示画面
１３０    キーボード
１４０    マウス
１５０    測色器
１６０    バス
２００    ＦＤ（フレキシブルディスク）
２１０    ＣＤ
２２０    印刷校正プログラム記憶媒体
３００    印刷校正プログラム
３１０    測定値取得部
３２０    入力値取得部
３３０    プロファイル作成部
３３１    マトリクス算出部
３３２    １次元ＬＵＴ作成部
３３３    ３次元ＬＵＴ作成部
３３４    γ曲線算出部
３４０    色変換部
４００    印刷校正システム
４１０    測定値取得部
４２０    入力値取得部
４３０    プロファイル作成部
４３１    マトリクス算出部
４３２    １次元ＬＵＴ作成部
４３３    ３次元ＬＵＴ作成部
４３４    γ曲線算出部
４４０    色変換部
４４１    印刷プロファイル
４４２    モニタプロファイル
５００    ＩＣＣプロファイル
５１０    ３×３マトリクス
５２０    １次元の入力側ＬＵＴ
５３０    ３次元ＬＵＴ
５４０    １次元の出力側ＬＵＴ
６００    モニタプロファイル編集画面
６１０    階調カーブ作成部
６１１    階調カーブ表示欄
６１２    階調値入力欄
６１３    色選択ラジオボタン
６２０    色調整部
６２１    Ｒ色相調整欄
６２２    Ｇ色相調整欄
６２３    Ｂ色相調整欄
６２４    Ｃ色相調整欄
６２５    Ｍ色相調整欄
６２６    Ｙ色相調整欄
６３０    保存先指定部
６３１    ファイル名入力欄
６３２    フォルダ選択ボタン
６３３    チェックボタン
６４０    ＯＫボタン
６５０    終了ボタン
６６０    キャンセルボタン
【図１】
2006303913.tif 000003
【図２】
2006303913.tif 000004
【図３】
2006303913.tif 000005
【図４】
2006303913.tif 000006
【図５】
2006303913.tif 000007
【図６】
2006303913.tif 000008
【図７】
2006303913.tif 000009
【図８】
2006303913.tif 000010
【図９】
2006303913.tif 000011
【図１０】
2006303913.tif 000012
【図１１】
2006303913.tif 000013
【図１２】
2006303913.tif 000014